(57)【要約】【課題】  耐久性がより向上した車両懸架装置を提供する。【解決手段】  電磁サスペンション１０は、主にアブソーバ１２、コイルスプリング２２、モータ２０等の構成を備える。アブソーバ１２は、ロッド２８、アウターシェル３０、ボールねじ２４、ボールねじナット２６等の構成を有する。モータ２０は、車体に設けられたフランジ１６に固定機構１４を介して固定される。固定機構１４は、通常時においてモータ２０をフランジ１６へ押圧して固定し、モータ２０に過大な回転力が加わろうとするときにモータ２０の固定力を変更してモータ２０を供回りさせる。【選択図】  図１
2005132298.tif 000002
【特許請求の範囲】
【請求項１】
バネ上部材とバネ下部材の間の減衰力を発生するモータと、
前記モータを前記バネ上部材へ固定するための固定手段と、
前記モータを前記バネ上部材へ固定するための固定力を変更する固定力調整手段と、
を備えることを特徴とする車両懸架装置。
【請求項２】
前記固定力調整手段は、前記バネ上部材の前記バネ下部材に対する相対的な変位の速度が所定値よりも大きい場合に、前記固定力を弱めることを特徴とする請求項１に記載の車両懸架装置。
【請求項３】
前記固定力調整手段は、前記バネ上部材の前記バネ下部材に対する相対的な変位の速度が所定値よりも大きい場合に、前記固定を解放することを特徴とする請求項１または２に記載の車両懸架装置。
【請求項４】
前記固定力調整手段は、前記バネ上部材の加速度の大きさに基づいて前記固定力を変更することを特徴とする請求項１から３のいずれかに記載の車両懸架装置。
【請求項５】
前記固定力調整手段は、前記バネ上部材の加速度の大きさに基づいて前記固定力を弱めることを特徴とする請求項１から４のいずれかに記載の車両懸架装置。
【請求項６】
バネ上部材とバネ下部材の間の減衰力を発生するモータと、
前記モータを前記バネ上部材へ固定するための固定手段と、
前記モータを前記バネ上部材へ固定する固定力を所定の場合に逃がす固定力調整手段と、
を備えることを特徴とする車両懸架装置。
【発明の詳細な説明】
【技術分野】
【０００１】
本発明は、車両懸架装置に関し、特にモータを利用したショックアブソーバを有する車両懸架装置の技術に関する。
【背景技術】
【０００２】
従来、各車輪のバネ下部材とバネ上部材間に配置され、車両の走行中に路面から車輪を介して伝達される振動や衝撃を吸収する車両の懸架装置が知られている（例えば、特許文献１参照）。この従来の懸架装置は、モータにより減衰力を発生するとともに、そのモータを駆動してショックアブソーバのロッド長を変化させることにより車高調整することもできる。
【特許文献１】特開２００２−２１９９２０号公報
【発明の開示】
【発明が解決しようとする課題】
【０００３】
上記した従来の技術によると、通常の走行で考えられる程度を超えた過大な振動や衝撃が車輪を通じて懸架装置に伝達すると、急激な回転によってロッドとモータの連結部分が破損したり、モータや回生電流を発生させる回路が焼き付くといった事態が発生する可能性がある。こうした通常状態を超える不測の事態を考慮することも、より安全な車両設計を行う上で重要といえる。
【０００４】
本発明はこうした状況に鑑みてなされたものであり、その目的は、耐久性をより向上させた車両懸架装置を提供することにある。
【課題を解決するための手段】
【０００５】
上記課題を解決するために、本発明のある態様における車両懸架装置は、バネ上部材とバネ下部材の間の減衰力を発生するモータと、前記モータを前記バネ上部材へ固定するための固定手段と、前記モータを前記バネ上部材へ固定するための固定力を変更する固定力調整手段と、を備える。モータは、電磁サスペンションの一部を構成する電動モータであってもよく、減衰力の発生とともにその回転により回生電流を発生させてもよい。モータは、車体や車体のフランジに固定されてもよい。固定手段は、モータをフランジに固定させるためのパッド、アクチュエータ等の固定機構であってもよい。固定力調整手段は、固定機構を制御する装置、車両状態センサ等の構成のうち少なくともいずれかを含んでもよい。
【０００６】
本態様の車両懸架装置は、状況に応じてモータの固定力を変化させるので、通常時にはモータを車体に固定して車体の上下振動を減衰でき、必要に応じてモータの固定力を弱めて車体の上下振動の減衰力を弱めることができる。即ち、状況に応じてモータの固定力が変化されることにより、過大な上下振動に伴う過大な回転がモータに加わろうとしてもその回転力がモータ全体を供回りさせるので、モータ内に伝達される回転力が相対的に弱まる。従って、通常の走行で考えられる程度を越えた過大な回転によるモータや回生電流発生回路等の損傷を回避することができる。
【０００７】
本態様の車両懸架装置において、前記固定力調整手段は、前記バネ上部材の前記バネ下部材に対する相対的な変位の速度が所定値よりも大きい場合に、前記固定力を弱める。この車両懸架装置においては、過大な上下振動に伴う過大な回転がモータに加わろうとするとモータの固定力が弱まるので、その過大な回転力がモータ全体を供回りさせてモータ内に伝達される回転力が相対的に弱まる。従って、モータや回生電流発生回路等の損傷を回避することができる。
【０００８】
本態様の車両懸架装置において、前記固定力調整手段は、前記バネ上部材の前記バネ下部材に対する相対的な変位の速度が所定値よりも大きい場合に、前記固定力を解放してもよい。「固定力の解放」は、モータの固定力をほぼゼロにする変更であってもよい。この車両懸架装置においても、過大な上下振動に伴う過大な回転がモータに加わろうとしても、モータの供回りによりモータ内に伝達される回転力が弱まるので、モータや回生電流発生回路等の損傷を回避することができる。
【０００９】
本態様の車両懸架装置において、前記固定力調整手段は、前記バネ上部材の加速度の大きさに基づいて前記固定力を変更してもよい。この車両懸架装置は、バネ上部材の加速度に応じてモータの供回りの度合いを調節することができるので、過大な回転力によるモータや回生電流発生回路等の損傷を回避するだけでなく、通常時においてモータの減衰力の強弱を制御することもできる。
【００１０】
本態様の車両懸架装置において、前記固定力調整手段は、前記バネ上部材の加速度の大きさに基づいて前記固定力を弱める。この車両懸架装置もまた、バネ上部材の加速度に応じてモータの供回りの度合いを調節できるので、モータや回生電流発生回路等の損傷を回避するだけでなく、通常時においても状況に応じてモータの減衰力を弱めることもできる。
【００１１】
本発明の別の態様もまた、車両懸架装置である。この装置は、バネ上部材とバネ下部材の間の減衰力を発生するモータと、前記モータを前記バネ上部材へ固定するための固定手段と、前記モータを前記バネ上部材へ固定する固定力を所定の場合に逃がす固定力調整手段と、を備える。この固定力調整手段は、ストローク速度やバネ上部材の加速度等の車両状態に基づく特別な制御を伴わず、モータに加わる回転力が過大となったときに自然とその回転力を逃がす機構を有してもよい。
【００１２】
本態様の車両懸架装置においても、状況に応じてモータの固定力が変化することにより、過大な上下振動に伴う過大な回転がモータに加わろうとしてもその回転力がモータ全体を供回りさせるので、モータ内に伝達される回転力が相対的に弱まる。従って、通常考えられる程度を越えた過大な回転によるモータや回生電流発生回路等の損傷を回避することができる。
【発明の効果】
【００１３】
本発明によると、耐久性がより向上した車両懸架装置を提供することができる。
【発明を実施するための最良の形態】
【００１４】
（第１の実施の形態）
本実施の形態における車両懸架装置は電磁サスペンションであり、その電磁サスペンションに含まれる電動モータを車体のフランジに固定するとともに、その固定力を所定の場合に変更する。この車両懸架装置は、通常時には固定されたモータで車体の上下振動を減衰でき、必要に応じてモータの固定力を弱めて車体の上下振動の減衰力を弱めることができる。従って、通常考えられる程度を越えた過大な回転がモータに加わろうとしてもその回転力がモータ全体を供回りさせるので、モータ内に伝達される回転力が相対的に弱まり、モータや回生電流生成回路等の損傷を回避することができ、モータの耐久性をより向上させることができる。
【００１５】
図１は、本発明の第１の実施の形態に係る車両懸架装置の構成を示す。電磁サスペンション１０は、車両のバネ上とバネ下の間の減衰力をモータ２０を用いて発生するアブソーバ１２を備え、この電磁サスペンション１０を介して車体と車輪が接続される。なお、コイルスプリング２２により支えられる車体側の部材を「バネ上」と呼び、コイルスプリング２２により支えられていない車輪側の部材を「バネ下」と呼ぶ。電磁サスペンション１０は、電子制御装置（以下、電子制御装置を「ＥＣＵ」と表記する）により制御される。ＥＣＵは、ＣＰＵ、ＲＡＭ、ＲＯＭを備えて構成される。
【００１６】
電磁サスペンション１０は、アブソーバ１２とコイルスプリング２２を含む。アブソーバ１２は、モータ２０、ボールねじ２４、ボールねじナット２６、ロッド２８、アウターシェル３０、軸受３１、３４、３６およびダストシール３８を備える。軸受３１はロッド２８内部においてボールねじ２４を回動可能に支持し、また軸受３４および３６は、アウターシェル３０内部においてロッド２８を摺動可能に支持する。ダストシール３８は、アウターシェル３０内にゴミなどの異物が入り込むのを防止する。
【００１７】
電磁サスペンション１０は、第１取付部４０において車体側の構成に取り付けられ、また第２取付部４６において車輪側の構成に取り付けられる。コイルスプリング２２は、第１取付部４０近傍の車体面とスプリングシート４２の間に縮設され、予め所定の荷重を与えられる。
【００１８】
コイルスプリング２２は車両のバネ上部分の重量を支持し、また路面からの振動や衝撃が車輪を通して車体に伝わるのを抑制する。アブソーバ１２は、コイルスプリング２２による車体の上下振動を減衰させる。このアブソーバ１２は、モータ２０を用いて車両のバネ上とバネ下の間に減衰力を発生させることができ、制御応答性に優れる。
【００１９】
ボールねじ２４、ロッド２８およびアウターシェル３０は同軸に配置されている。アウターシェル３０には、雌ねじ部分を有するボールねじナット２６が内設される。ボールねじ２４は雄ねじ部分を有し、ボールねじナット２６に螺合した状態にある。モータ２０はボールねじ２４の一端を回動可能にセレーションで支持する。一方、モータ２０に駆動電流が与えられてモータ２０が駆動されると、ボールねじ２４がボールねじナット２６に対して相対回転し、その回転運動が直線運動に変換されるので、モータ２０に対してアウターシェル３０が下方に押し下げられ、または上方に引き上げられる。
【００２０】
車両が良路を走行している場合、ＥＣＵは電磁サスペンション１０のモータ２０に与える駆動電流の値を、例えば０Ａである基準電流値に設定する。路面に凹凸がある場合、ＥＣＵは、車体に設けられる加速度センサによる検出結果から、車体の上下方向の加速度を測定する。車輪が上下動する場合、ロッド２８とアウターシェル３０との相対運動によりコイルスプリング２２が伸縮する。このとき、ボールねじ２４がボールねじナット２６に対して相対回転することにより、モータ２０が回転して発電機として作用し、このときに生じる抵抗力により減衰力が発生する。ＥＣＵは、コイルスプリング２２の伸縮を抑制する方向の駆動電流、すなわちモータ２０内部で電磁誘導により生じた電流とは逆向きの駆動電流をモータ２０に与えてもよい。ＥＣＵは、車体の上下方向の加速度等に応じてモータ２０に与える駆動電流を設定し、減衰力を調整してもよい。
【００２１】
モータ２０は、車体に設けられた略筒状のフランジ１６内部に配置されており、フランジ１６の内壁に設けられた固定機構１４によって固定される。固定機構１４は、通常時において、モータ２０に対して少なくとも２方向以上から押圧力を発することにより、モータ２０を挟持固定する。通常の走行状態では考えられない程度の過大な振動や衝撃によって過大な回転力がモータ２０に加わろうとするとき、固定機構１４は固定力を弱める。これにより、過大な回転力がモータ２０を供回りさせるので、モータ２０や回生電流生成回路等の焼き付きを防止でき、またモータ２０とボールねじ２４のセレーション部分の破損を防止できる。固定機構１４によるモータ２０の固定力は、ＥＣＵによって制御される。固定機構１４がモータ２０の外周面に当接する箇所を含む固定部分３２については、図２で説明する。
【００２２】
図２は、図１の固定部分３２を拡大した図と固定機構１４を制御するための構成を示す。固定機構１４は、可動部１５とパッド１８を含む。パッド１８は、モータ２０に当接する摩擦部材であり、モータ２０へ押圧されたときの摩擦力によってモータ２０を把持する。パッド１８は、摩擦係数が高く摩耗の少ない燒結金属や繊維等の材料で形成される。可動部１５は、アクチュエータ５０により駆動され、パッド１８をモータ２０へ押圧する押圧力を発生する。可動部１５およびアクチュエータ５０は、例えば油圧式、電磁ソレノイド、ピエゾ素子等のアクチュエータを構成する。
【００２３】
ストロークセンサ５４は、車体の上下動の相対変位であるストロークの速度を車輪ごとに検出する。ストロークセンサ５４は、例えば車軸の回転角からストローク速度を求めてもよいし、モータ２０の回転角からストローク速度を求めてもよい。ＥＣＵ５２は、ストロークセンサ５４で検出したストローク速度に応じてアクチュエータ５０の制御量を算出し、算出した制御量をアクチュエータ５０へ送る。アクチュエータ５０は、ＥＣＵ５２から受け取る制御量の情報に基づいて可動部１５を駆動してパッド１８をモータ２０へ押圧する押圧力を発生させ、または変化させる。通常状態においては、ＥＣＵ５２は、固定機構１４によるモータ２０の固定力が最大となるようアクチュエータ５０の制御量を算出する。モータ２０に加わる回転力が所定の限界値に達した場合、ＥＣＵ５２は、固定機構１４によるモータ２０の固定力が弱まる、または解除されるようアクチュエータ５０の制御量を算出する。モータ２０に加わる回転力の限界値は、例えば通常状態においてモータ２０に加わることが想定される回転力の最大値であり、その値を超えた回転力が加わるとモータ２０を損傷させる等の不具合を生じさせるおそれのある値である。
【００２４】
図３は、ＥＣＵ５２がモータ２０の固定力を変化させる過程を示すフローチャートである。通常状態においては、ＥＣＵ５２は固定機構１４によってモータ２０をフランジ１６に固定させて減衰力が発生可能な状態におく。ＥＣＵ５２は、ストロークセンサ５４で検出されたストローク速度が所定の限界値以上であると判定した場合（Ｓ１０Ｙ）、固定機構１４によるモータ２０の固定を解除するようアクチュエータ５０を制御する（Ｓ１２）。Ｓ１０において、ストロークセンサ５４で検出されたストローク速度が所定の限界値未満であるとＥＣＵ５２が判定した場合（Ｓ１０Ｎ）、ＥＣＵ５２はＳ１２をスキップして通常状態のモータ２０の固定を維持させる。
（第２の実施の形態）
本実施の形態における車両懸架装置は、第１の実施の形態におけるモータ２０等の損傷を回避する他、車体の加速度に応じてモータ２０による減衰力を制御する点で第１の実施の形態と異なる。以下、第１の実施の形態との相違点を中心に説明する。
【００２５】
図４は、第２の実施の形態における固定部分３２を拡大した図と固定機構１４を制御するための構成を示す。本実施形態におけるＥＣＵ５２は、ストロークセンサ５４の検出結果に応じてアクチュエータ５０の制御量を算出する他、さらに加速度センサ５６による検出結果に応じてアクチュエータ５０の制御量を算出する。加速度センサ５６は、車体の上下方向、前後方向、横方向等の加速度を車輪ごとに検出する。ＥＣＵ５２は、車体の各方向への加速度に示される車両の姿勢状態に応じて、固定機構１４によるモータ２０の固定力の強弱を制御する。これにより、ＥＣＵ５２はモータ２０の減衰力を状況に応じて変化させることができ、良好な操縦安定性と良好な乗り心地の両立を図ることができる。
【００２６】
図５は、第２の実施の形態においてＥＣＵ５２が固定機構１４によるモータ２０の固定力を変化させる過程を示すフローチャートである。通常状態においては、ＥＣＵ５２は固定機構１４によってモータ２０をフランジ１６に固定させて減衰力が発生可能な状態におく。ＥＣＵ５２は、ストロークセンサ５４で検出されたストローク速度が所定の限界値以上であると判定した場合（Ｓ２０Ｙ）、固定機構１４によるモータ２０の固定を解除するようアクチュエータ５０を制御する（Ｓ２２）。Ｓ２０において、ストロークセンサ５４で検出されたストローク速度が所定の限界値未満であるとＥＣＵ５２が判定した場合（Ｓ２０Ｎ）、ＥＣＵ５２は加速度センサ５６が検出した加速度に応じて固定機構１４の最適な制御量を算出してアクチュエータ５０へ送る（Ｓ２４）。
（第３の実施の形態）
本実施の形態における車両懸架装置は、モータ２０の固定力を、ストローク速度や加速度等の車両状態量に応じてＥＣＵ５２が制御する構成を有しない点で第１、２の実施の形態と異なる。以下、第１、２の実施の形態との相違点を中心に説明する。
【００２７】
図６は、第３の実施の形態における固定部分３２を拡大した図と固定機構１４を制御するための構成を示す。本実施の形態における固定機構１４は、パッド１８とコイルスプリング６０を含む。コイルスプリング６０は、所定のセット荷重にて圧縮されており、その反発力でパッド１８をモータ２０に押圧することにより、モータ２０を固定する。モータ２０へ加わろうとする過大な回転力がコイルスプリング６０のセット荷重を超えた場合、その回転力はモータ２０を供回りさせることとなり、過大な回転力が逃がされる。これにより、モータ２０の内部に加わる回転力が弱まるので、モータ２０や回生電流生成回路等の損傷を回避することができる。本実施の形態によれば、モータ２０等の損傷を比較的簡易または安価な機械的構造にて回避することができる。
【００２８】
以上、実施の形態をもとに本発明を説明した。なお本発明はこの実施の形態に限定されることなく、その様々な変形例もまた本発明の態様として有効である。例えば、各実施の形態においてはモータ２０をフランジ１６に固定する構成を説明したが、変形例においてはモータ２０をフランジ１６以外の車体に固定する構成としてもよい。
【図面の簡単な説明】
【００２９】
【図１】本発明の第１の実施の形態に係る車両懸架装置の構成を示す図である。
【図２】図１の固定部分を拡大した図と固定機構を制御するための構成を示す図である。
【図３】ＥＣＵがモータの固定力を変化させる過程を示すフローチャートである。
【図４】第２の実施の形態における固定部分を拡大した図と固定機構を制御するための構成を示す図である。
【図５】第２の実施の形態においてＥＣＵが固定機構によるモータの固定力を変化させる過程を示すフローチャートである。
【図６】第３の実施の形態における固定部分を拡大した図と固定機構を制御するための構成を示す図である。
【符号の説明】
【００３０】
１０  電磁サスペンション、  １２  アブソーバ、  １４  固定機構、  １５  可動部、  １６  フランジ、  １８  パッド、  ２０  モータ、  ３２  固定部分、  ５０  アクチュエータ、  ５２  ＥＣＵ、  ５４  ストロークセンサ、  ５６  加速度センサ、  ６０  コイルスプリング。
【図１】
2005132298.tif 000003
【図２】
2005132298.tif 000004
【図３】
2005132298.tif 000005
【図４】
2005132298.tif 000006
【図５】
2005132298.tif 000007
【図６】
2005132298.tif 000008